(57)【要約】【課題】配線を要する物品の配線を見栄え良く納めながらも配線作業性を向上し得る棚板、これを備えた収納装置及び該棚板を設けた収納構造を提供する。【解決手段】棚板１０は、収納空間を区画する両内側面１８ａ，１８ａ間に架け渡されるように、取外自在に配設される棚板本体１１と、この棚板本体の後端部に固定され、この棚板本体によって上下に区画される下段側の収納空間の奥側面２０ａを覆うように、かつ該奥側面との間に配線用空間２１を形成するように配設される仕切板１４と、を備えており、前記棚板本体の後端部、前記仕切板の両側端部及び該仕切板の下端部のうちの少なくとも一端部側には、前記配線用空間に連通される配線挿通部２３，２５が設けられる。【選択図】図１
2014064783.tif 000002
【特許請求の範囲】
【請求項１】
収納空間を区画する両内側面間に架け渡されるように、取外自在に配設される棚板本体と、この棚板本体の後端部に固定され、この棚板本体によって上下に区画される下段側の収納空間の奥側面を覆うように、かつ該奥側面との間に配線用空間を形成するように配設される仕切板と、を備えており、
前記棚板本体の後端部、前記仕切板の両側端部及び該仕切板の下端部のうちの少なくとも一端部側には、前記配線用空間に連通される配線挿通部が設けられることを特徴とする棚板。
【請求項２】
請求項１において、
前記配線挿通部は、前記棚板本体の後端部、前記仕切板の両側端部及び該仕切板の下端部のうちの少なくとも一端部に設けられた切欠状凹部によって形成されることを特徴とする棚板。
【請求項３】
請求項１において、
前記配線挿通部は、前記棚板本体の後端部、前記仕切板の両側端部及び該仕切板の下端部のうちの少なくとも一端部が対向配置される収納空間を区画する内面と該一端部との間に該配線挿通部が形成されるように該一端部の板体を構成して形成されることを特徴とする棚板。
【請求項４】
収納空間を区画する両内側面を構成する両側板と、
これら側板間に配設される請求項１乃至３のいずれか１項に記載の棚板と、
前記配線用空間において露出するように設けられた差込接続器と、
を備えていることを特徴とする収納装置。
【請求項５】
収納空間を区画する両内側面間に、請求項１乃至３のいずれか１項に記載の棚板を配設し、前記配線用空間において露出するように差込接続器を設けたことを特徴とする収納構造。
【発明の詳細な説明】
【技術分野】
【０００１】
本発明は、収納空間を区画する両内側面間に架け渡されるように配設される棚板、これを備えた収納装置及び該棚板を設けた収納構造に関する。
【背景技術】
【０００２】
従来より、種々の電気機器や電子機器、通信機器等の配線を要する物品をキャビネット等の収納空間に収納する場合があった。このような場合には、その配線の処理が問題となる。
例えば、下記特許文献１には、上部収納部、テレビ収納部及び下部収納部を有したキャビネットが開示されている。このキャビネットは、下部収納部の天板の奥行寸法を、テレビ収納部の天板の奥行寸法より短くし、下部収納部の天板の奥側端部からテレビ収納部の天板の下面に向けて背板を立設し、この背板の後方に配線空間を形成した構成とされている。
【先行技術文献】
【特許文献】
【０００３】
【特許文献１】特開２０１１−９８０５９号公報
【発明の概要】
【発明が解決しようとする課題】
【０００４】
上記特許文献１に記載されたキャビネットは、比較的に薄型かつ大型のテレビを収納するテレビ収納部の後方側に、配線作業性や放熱性を向上すべく、比較的に大きな配線空間を設けた構造とされている。しかしながら、このようなテレビよりも小型の電気機器や電子機器、通信機器等を収容したり、載置したりする棚等の背側に大きな配線空間は設け難く、また、背板の奥側での配線作業となるため、作業性の観点からも更なる改善が望まれる。
【０００５】
本発明は、上記実情に鑑みてなされたものであり、配線を要する物品の配線を見栄え良く納めながらも配線作業性を向上し得る棚板、これを備えた収納装置及び該棚板を設けた収納構造を提供することを目的としている。
【課題を解決するための手段】
【０００６】
上記目的を達成するために、本発明に係る棚板は、収納空間を区画する両内側面間に架け渡されるように、取外自在に配設される棚板本体と、この棚板本体の後端部に固定され、この棚板本体によって上下に区画される下段側の収納空間の奥側面を覆うように、かつ該奥側面との間に配線用空間を形成するように配設される仕切板と、を備えており、前記棚板本体の後端部、前記仕切板の両側端部及び該仕切板の下端部のうちの少なくとも一端部側には、前記配線用空間に連通される配線挿通部が設けられることを特徴とする。
【０００７】
本発明においては、前記配線挿通部を、前記棚板本体の後端部、前記仕切板の両側端部及び該仕切板の下端部のうちの少なくとも一端部に設けられた切欠状凹部によって形成してもよい。
また、本発明においては、前記配線挿通部を、前記棚板本体の後端部、前記仕切板の両側端部及び該仕切板の下端部のうちの少なくとも一端部が対向配置される収納空間を区画する内面と該一端部との間に該配線挿通部が形成されるように該一端部の板体を構成して形成してもよい。
【０００８】
また、上記目的を達成するために、本発明に係る収納装置は、収納空間を区画する両内側面を構成する両側板と、これら側板間に配設される本発明に係る棚板と、前記配線用空間において露出するように設けられた差込接続器と、を備えていることを特徴とする。
また、上記目的を達成するために、本発明に係る収納構造は、収納空間を区画する両内側面間に、本発明に係る棚板を配設し、前記配線用空間において露出するように差込接続器を設けたことを特徴とする。
【発明の効果】
【０００９】
本発明に係る棚板、これを備えた収納装置及び該棚板を設けた収納構造は、上述のような構成としたことで、配線を要する物品の配線を見栄え良く納めながらも配線作業性を向上させることができる。
【図面の簡単な説明】
【００１０】
【図１】（ａ）、（ｂ）は、いずれも本発明の一実施形態に係る棚板、同棚板を備えた収納装置及び同棚板を設けた収納構造の一例を模式的に示し、（ａ）は、図３（ａ）におけるＸ−Ｘ線矢視に対応させた概略側面図、（ｂ）は、（ａ）に対応させた一部分解概略側面図である。
【図２】同棚板、同収納装置及び同収納構造の一例を模式的に示す一部分解概略斜視図である。
【図３】（ａ）は、同棚板、同収納装置及び同収納構造の一例を模式的に示す概略正面図、（ｂ）は、（ａ）におけるＹ１−Ｙ１線矢視に対応させた概略横断面図である。
【図４】同棚板、同収納装置及び同収納構造の一例を組み込んだ収納システムの一例を模式的に示す概略正面図である。
【図５】（ａ）、（ｂ）は、いずれも同棚板を備えた収納装置及び同棚板を設けた収納構造の一変形例を模式的に示し、図１（ａ）、（ｂ）にそれぞれ対応させた概略側面図である。
【図６】（ａ）、（ｂ）は、いずれも本発明の他の実施形態に係る棚板、同棚板を備えた収納装置及び同棚板を設けた収納構造の一例を模式的に示し、（ａ）は、概略正面図、（ｂ）は、（ａ）におけるＹ２−Ｙ２線矢視に対応させた概略横断面図である。
【発明を実施するための形態】
【００１１】
以下に本発明の実施の形態について、図面に基づいて説明する。
なお、一部の図では、他図に付している詳細な符号の一部を省略している。
また、以下の各実施形態では、一方側に開口する収納空間に棚板を配設し、その開口に対面した状態を基準として、手前側を前方、その逆側を後方とし、また、その状態を基準として、上下方向等の方向を原則的に説明する。
【００１２】
図１〜図５は、第１実施形態に係る棚板、該棚板を備えた収納装置及び該棚板を設けた収納構造の一例を模式的に示す図である。
本実施形態に係る棚板１０は、図３に示すように、収納空間を区画する両内側面１８ａ，１８ａ間に配設される。本実施形態に係る収納構造は、この棚板１０を、両内側面１８ａ，１８ａ間に配設した構造とされている。
本実施形態に係る収納装置１は、収納空間を区画する両内側面１８ａ，１８ａを構成する左右の側板１８，１８を備えている。本実施形態では、収納装置１は、これら左右の側板１８，１８と、天板１６と、底板１７と、背板２０と、を備え、これらによって前方に向けて開口する箱形状とされている（図２も参照）。
【００１３】
また、本実施形態では、当該収納装置１を、図４に示すように、複数の収納箱体２，３，４を備えた収納システム９に組み込んだ例を示している。図例では、収納システムとして、洗面室等に設置される洗面収納システム９を示している。
この洗面収納システム９は、床側に設置される複数のフロアキャビネットとしての収納箱体３，４と、これらの上方側に配設されるウォールキャビネットとしての収納装置１及び収納箱体２と、を備えている。また、横並び状に設けられた床側の収納箱体３，４の上部には、洗面ボウル（水槽）等を設けた洗面カウンター５が設けられている。この洗面カウンター５には、洗面ボウルに臨むように水栓金具６が設けられている。この洗面カウンター５を上部に設けた床側の収納箱体３，４は、洗面台収納装置を構成する。また、これら収納箱体３，４の下端部には、該下端部の前方に蹴込み空間を形成するように、台輪状部が設けられている。なお、図例では、一方の収納箱体３を開き収納とし、他方の収納箱体４を抽斗収納とした例を示しているが、一方の収納箱体３を抽斗収納、他方の収納箱体４を開き収納としてもよく、または、両方を開き収納若しくは抽斗収納としてもよい。
【００１４】
これら床側の収納箱体３，４のうちの一方の収納箱体３の上方側に配設される収納箱体２は、開き収納とされ、その開き扉の前面が鏡とされたミラーキャビネットとされている。図例では、三枚の開き扉を横並びに設けた三面鏡型の収納箱体２を例示している。この収納箱体２は、その下方側において洗面や化粧等がし易いように、例えば、１００ｍｍ〜３００ｍｍ程度の奥行寸法（前後寸法）とされた薄型収納としてもよい。
本実施形態では、本実施形態に係る収納装置１を、この収納箱体２の一側方側に横並び状に配設した例を示している。この収納装置１の奥行寸法（前後寸法）は、収納箱体２と同程度の寸法としてもよく、または、収納箱体２よりも大きい寸法としてもよい。
なお、これら上方側の収納装置１及び収納箱体２は、洗面カウンター５との間に空間を設けるように壁や天井等に固定されるものとしてもよい。また、床側の収納箱体３，４の背側に上方に立ち上がるように設けられた後壁板をこれら収納装置１及び収納箱体２の両方または一方の背板としてもよい。または、このような背板や後壁板を設けた態様に代えて、これら収納装置１及び収納箱体２の収納空間の奥側面を壁面等としてもよい。また、これら収納装置１及び収納箱体２の隣接側の側板を共通の側板としてもよい。
【００１５】
本実施形態に係る収納装置１は、本実施形態に係る棚板１０に加え、他の棚板２４を備えている。
収納装置１の収納空間は、図１（ａ）及び図３（ａ）に示すように、これら棚板１０，２４によって、上下に複数段（図例では、３段）に区画されている。また、これら棚板１０，２４は、収納装置１の収納空間内において、上下に略等間隔を空けて配設されている。つまり、これら棚板１０，２４によって上下に区画された複数段の収納空間の上下寸法が略同寸法とされている。
【００１６】
収納装置１の左右の側板１８，１８の互いに向き合う両内側面１８ａ，１８ａには、これら棚板１０，２４を取外自在に支持する棚受部１９が設けられている。本実施形態では、この棚受部１９を、両内側面１８ａ，１８ａのそれぞれにおいて互いに向き合う方向に突出するように設けられたダボ状突起（棚受ダボ）１９，１９としている（図２及び図３（ｂ）も参照）。
これらダボ状突起１９，１９は、これら棚板１０，２４の上下の配設位置に応じて、上下に間隔を空けて各側板１８，１８の内側面１８ａ，１８ａのそれぞれに設けられている。また、これらダボ状突起１９，１９は、各棚板１０，２４の収納間口方向（幅方向）両側端部のそれぞれの奥行方向に間隔を空けた複数箇所（図例では２箇所）を支持可能なように、各側板１８，１８の内側面１８ａ，１８ａのそれぞれにおいて奥行方向に間隔を空けて複数箇所（図例では２箇所）に設けられている。なお、これらダボ状突起１９，１９は、各側板１８，１８の両内側面１８ａ，１８ａにおいて開口するように設けられたダボ穴に、それぞれの嵌入部を嵌め込み、設けられたものとしてもよい。また、棚受部１９としては、このようなダボ状突起１９に限られず、各棚板１０，２４の下面に当接される当接面部等を有したものや、その他、種々の構成とされた棚受部１９の採用が可能である。
【００１７】
他の棚板２４は、略矩形平板状とされており、その奥行寸法及び幅寸法が収納装置１の収納空間の奥行寸法及び幅寸法に応じた寸法とされている。この棚板２４は、その後端部を、収納空間の奥側を区画する収納装置１の背板２０の前面（奥側面）２０ａに当接または近接させて配設される。また、この棚板２４は、その両側端部を、収納装置１の両内側面１８ａ，１８ａに当接または近接させて配設される。
また、この棚板２４の下面側には、上記したダボ状突起１９に係合する係合部２４ａが設けられている。図例では、係合部２４ａを、棚板２４の下面側において下方側及び幅方向外方側に向けて開口する係合凹部２４ａとした例を示している。この係合凹部２４ａは、ダボ状突起１９の位置に応じて、棚板２４の幅方向両側端部のそれぞれに奥行方向に間隔を空けて複数箇所に設けられている。
【００１８】
本実施形態に係る棚板１０は、両内側面１８ａ，１８ａ間に架け渡されるように配設される棚板本体１１と、この棚板本体１１の後端部に固定された仕切板１４と、を備えている。この仕切板１４は、棚板本体１１によって上下に区画される下段側の収納空間の奥側面を構成する背板２０の前面２０ａを覆うように、かつこの前面２０ａとの間に配線用空間２１を形成するように配設される。また、当該棚板１０は、収納装置１の収納空間に配設された状態で、棚板本体１１の後端部、仕切板１４の両側端部及び仕切板１４の下端部のうちの少なくとも一端部側に、配線用空間２１に連通される配線挿通部２３，２５が設けられる構成とされている。
【００１９】
棚板本体１１は、上記した他の棚板２４と概ね同様、略矩形平板状とされており、その奥行寸法及び幅寸法が収納装置１の収納空間の奥行寸法及び幅寸法に応じた寸法とされている。この棚板本体１１は、上記他の棚板２４と同様、その後端部を、収納空間の奥側を区画する収納装置１の背板２０の前面（奥側面）２０ａに当接または近接させて配設される。また、この棚板本体１１は、その両側端部を、収納装置１の両内側面１８ａ，１８ａに当接または近接させて配設される。また、この棚板本体１１の厚さ寸法（上下寸法）は、他の棚板２４の厚さ寸法と略同寸法とされている。なお、図例では、これら棚板本体１１及び上記他の棚板２４の奥行寸法を、収納装置１の収納空間の奥行寸法と略同寸法とした例を示しているが、これら棚板本体１１及び棚板２４の前端部が収納装置１の両側板１８，１８の前端部よりも少許、奥側に控えた位置となるような寸法としてもよい。
【００２０】
また、この棚板本体１１の下面側には、上記したダボ状突起１９に係合する係合部１２が設けられている。図例では、係合部１２を、上記他の棚板２４と同様、棚板本体１１の下面側において下方側及び幅方向外方側に向けて開口する係合凹部１２とした例を示している。この係合凹部１２は、上記同様、ダボ状突起１９の位置に応じて、棚板本体１１の幅方向両側端部のそれぞれに奥行方向に間隔を空けて複数箇所に設けられている。なお、この棚板本体１１及び上記他の棚板２４の係合部１２，２４ａは、このような係合凹部１２，２４ａに限られず、棚受部１９に応じたものとすればよい。
【００２１】
また、本実施形態では、この棚板本体１１の後端部に、図２及び図３（ｂ）に示すように、切欠状凹部１３を設けている。この切欠状凹部１３によって、棚板本体１１によって上下に区画された上段側の収納空間とその下段側の配線用空間２１とを連通させる上段側配線挿通部２３が形成される（図１（ａ）参照）。この切欠状凹部１３は、棚板本体１１の後端部において上下及び後方側に向けて開口するように形成されている。当該棚板１０が収納装置１の収納空間に配設された状態では、図３（ｂ）に示すように、棚板本体１１の切欠状凹部１３と背板２０の前面２０ａとによって棚板本体１１の厚さ方向に貫通する上段側配線挿通部２３が形成される。
【００２２】
この切欠状凹部１３の奥行寸法（深さ寸法）や幅寸法は、各種電源コードや通信線などの配線８（図１（ａ）参照）の挿通が可能なように適宜、設定すればよく、また、複数本の配線８の挿通が可能な寸法としてもよい。図例では、切欠状凹部１３を、当該棚板本体１１の幅方向に長尺な形状としており、この切欠状凹部１３の短手方向の寸法（深さ寸法）を、少なくとも配線８の挿通が可能なように、３ｍｍ〜２０ｍｍ程度、好ましくは、３ｍｍ〜１０ｍｍ程度としてもよい。
【００２３】
また、本実施形態では、棚板本体１１の後端部に、当該棚板本体１１の幅方向に間隔を空けて複数（図例では、３つ）の切欠状凹部１３を設けている。図例では、これら複数の切欠状凹部１３を互いに略同寸同形状とした例を示している。また、図例では、棚板本体１１の幅方向略中央に切欠状凹部１３を設け、この両側のそれぞれに略等間隔を空けて切欠状凹部１３，１３を設けた例を示している。なお、このように棚板本体１１に複数の切欠状凹部１３を設けた態様に代えて、単一の切欠状凹部１３を設けた態様としてもよい。また、棚板本体１１の後端部の隅部を切り欠くような形状の切欠状凹部１３としてもよい。
【００２４】
仕切板１４は、略矩形平板状とされており、その幅寸法が収納装置１の収納空間の幅寸法に応じた寸法とされている。この仕切板１４は、その両側端部を、収納装置１の両内側面１８ａ，１８ａに当接または近接させて配設される。つまり、この仕切板１４は、棚板本体１１と略同幅寸法とされている。また、この仕切板１４は、その上下寸法が棚板本体１１によって上下に区画された下段側の収納空間の上下寸法に応じた寸法とされており、その下端部を、下段側の収納空間の底面を構成する底板１７の上面１７ａに当接または近接させて配設される。なお、この仕切板１４の厚さ寸法（前後寸法）は、棚板本体１１の厚さ寸法と略同寸法としてもよく、棚板本体１１よりも小さい寸法としてもよい。
【００２５】
この仕切板１４は、その上端部が棚板本体１１の後端部に固定され、棚板本体１１の後端部から垂れ下がるように設けられている。また、この仕切板１４は、当該仕切板１４の後面と背板２０の前面２０ａとの間に配線用空間２１が形成されるように、棚板本体１１の後端面から間隔を空けて棚板本体１１の後端部に固定されている。つまり、仕切板１４は、背板２０の前面２０ａとの間に配線用空間２１を形成するように、配線用空間２１を隔てて、背板２０に対向するように配設される。
【００２６】
この配線用空間２１の奥行寸法（前後寸法）は、配線８の余長部分等が収容可能な寸法としてもよく、また、小型の電気機器や電子機器、通信機器等の各種の物品７（図１（ａ）及び図３（ａ）参照）の配線８に接続されたＡＣアダプター等の電源装置の収容が可能な寸法としてもよい。このような収容を可能としながらも仕切板１４の前方側空間を大きくする観点等から、例えば、この配線用空間２１の奥行寸法を、２０ｍｍ〜１５０ｍｍ程度、好ましくは、３０ｍｍ〜９０ｍｍ程度としてもよい。
なお、この仕切板１４の上端部を棚板本体１１の後端部に固定する態様としては、ねじや釘等の止具によって固定するようにしてもよく、このような止具に代えてまたは加えて接着剤等によって固定するようにしてもよい。また、Ｌ型金具等の固定具によって固定するようにしてもよい。さらには、棚板本体１１の後端部に一体的に仕切板１４を形成するようにしてもよい。
【００２７】
また、本実施形態では、この仕切板１４の下端部に、図２及び図３（ａ）に示すように、切欠状凹部１５を設けている。この切欠状凹部１５によって、仕切板１４によって奥行方向（前後方向）に区画された棚板本体１１の下段側の収納空間の前方側空間とその奥側の配線用空間２１とを連通させる下段側配線挿通部２５が形成される（図１（ａ）参照）。この切欠状凹部１５は、仕切板１４の下端部において前後及び下方側に向けて開口するように形成されている。当該棚板１０が収納装置１の収納空間に配設された状態では、図１（ａ）及び図３（ａ）に示すように、仕切板１４の切欠状凹部１５と底板１７の上面１７ａとによって仕切板１４の厚さ方向に貫通する下段側配線挿通部２５が形成される。
【００２８】
この切欠状凹部１５の上下寸法（深さ寸法）や幅寸法は、上記同様、配線８の挿通が可能なように適宜、設定すればよく、また、複数本の配線８の挿通が可能な寸法としてもよい。また、図例では、この切欠状凹部１５を、上記同様、当該仕切板１４の幅方向に長尺な形状としており、この切欠状凹部１５の短手方向の寸法（深さ寸法）を、上記同様の寸法としてもよい。
なお、本実施形態では、仕切板１４の下端部における幅方向一方側に寄った部位に切欠状凹部１５を設けた例を示しているが、仕切板１４の下端部の幅方向略中央に切欠状凹部１５を設けるようにしてもよい。また、本実施形態では、仕切板１４の下端部に、単一の切欠状凹部１５を設けた例を示しているが、仕切板１４の幅方向に間隔を空けて複数の切欠状凹部１５を設けるようにしてもよい。また、仕切板１４の下端部の隅部を切り欠くような形状の切欠状凹部１５としてもよい。
また、図例では、棚板本体１１及び仕切板１４の各切欠状凹部１３，１５を、各板体１１，１４の厚さ方向に見て、略矩形状とした例を示しているが、略半円形状や略半楕円形状、略三角形状、略台形状等としてもよく、その他の形状としてもよい。
【００２９】
上記構成とされた棚板本体１１及び仕切板１４を備えた棚板１０は、図１（ｂ）及び図２に示すように、収納装置１の左右の側板１８，１８間に取外自在に配設される。つまり、収納装置１の左右の側板１８，１８の各ダボ状突起１９，１９に取外自在に支持される棚板本体１１とともに仕切板１４が収納装置１に対して取外自在とされている。
なお、上記した各板体（棚板本体１１、仕切板１４、天板１６、底板１７、左右の側板１８，１８、背板２０及び棚板２４）は、木質系材料から形成されたものとしてもよい。例えば、合板やＬＶＬ（単板積層材）等の木質積層板や、パーティクルボード等の木質ボード、インシュレーションボードやＭＤＦ（中密度繊維板）等の木質繊維板などの木質系材料を板状に加工した基材に、適宜、合成樹脂シートや突板等の表面化粧シートを貼着した構成とされた板体としてもよい。また、基材としては、合成樹脂系材料に、木粉や無機フィラー、相溶化剤、着色剤などを所定の含有割合で含有させた木粉・プラスチック複合材（ＷＰＣ）を板状に加工したものとしてもよく、合成樹脂系材料や金属系材料等から形成されたものとしてもよい。
【００３０】
また、本実施形態に係る収納装置１は、図１及び図２に示すように、配線用空間２１において露出するように設けられた差込接続器（いわゆるコンセント）２２を備えている。つまり、本実施形態では、収納構造は、配線用空間２１において露出するように差込接続器２２を設けた構造とされている。
この差込接続器２２は、棚板本体１１によって上下に区画された下段側の収納空間における仕切板１４によって前後に区画された奥側の配線用空間２１において露出するように設けられている。
また、図例では、収納装置１の一方の側板１８の下端部に取付孔等を設け、この側板１８の下端部に差込接続器２２を設けた例を示している。なお、差込接続器２２を、側板１８に設けた態様に代えて、背板２０や底板１７等に設けるようにしてもよい。
【００３１】
この差込接続器２２としては、建物の壁体内等を通じて配線された電源コードや、ＬＡＮケーブルや光ファイバー、電話回線、テレビ回線等の各種の通信線等の配線が接続され、これらに応じて各種コンセントやモジュラー、端子等の接続部が設けられたマルチメディア型のものとしてもよい。
また、収納装置１に収納される配線を要する物品７としては、洗面台廻りに配設される各種小型の電気機器や電子機器、通信機器等としてもよく、例えば、電動歯ブラシや、電動髭剃り、ヘアドライヤー、その他、種々の美容機器やヘルスケア機器等としてもよい。図例では、棚板本体１１上に電動歯ブラシや電動髭剃り等の複数の物品７を載置し、棚板本体１１の下段側の収納空間の底面（底板１７の上面１７ａ）上に、薄型で小型のディスプレイ装置７を載置した例を示している。
【００３２】
なお、収納装置１に収納される配線を要する物品７としては、図例では、収納装置１を洗面収納システム９に組み込んだ例を示しているため、上記のような物品７を例示しているが上記のような物品７に限られない。例えば、物品７としては、小型テレビやチューナー、再生・録画機器、その他のオーディオ機器等としてもよい。また、湯沸かし器や炊飯器、電子レンジ、トースター、その他の調理機器等としてもよい。また、イオン発生器や消臭装置、小型送風器、防虫装置等としてもよい。また、電話機やファクシミリ、情報処理装置、複写機等としてもよい。また、携帯電話や携帯情報端末、携帯ゲーム機器、携帯オーディオ機器、デジタルカメラ等の携帯型機器等としてもよく、その他、種々の物品７としてもよい。
【００３３】
本実施形態に係る棚板１０、これを備えた収納装置１及び棚板１０を設けた収納構造は、上述のような構成としたことで、配線を要する物品７の配線８を見栄え良く納めながらも配線作業性を向上させることができる。
つまり、仕切板１４と下段側の収納空間の奥側面（背板２０の前面）２０ａとの間に配線用空間２１が形成されるので、この配線用空間２１に配線８の余長部分等を収容させることができる。また、仕切板１４によって配線８の余長部分等を略覆い隠すことができ、配線８を見栄え良く納めることができる。
また、棚板本体１１の後端部、仕切板１４の両側端部及び仕切板１４の下端部のうちの少なくとも一端部側に、配線用空間２１に連通される配線挿通部２３，２５が設けられる。従って、棚板本体１１によって上下に区画された上段側の収納空間及び下段側の収納空間の両方または一方に収納された物品７の配線８を、配線挿通部２３，２５を介して配線用空間２１に配線することができる。
【００３４】
また、棚板１０の仕切板１４を、収納空間を区画する両内側面１８ａ，１８ａ間に架け渡されるように取外自在に配設される棚板本体１１の後端部に固定しているので、棚板本体１１とともに取り外すことができる。従って、棚板１０を取り外した状態、つまりは、背板２０の前面２０ａを覆う仕切板１４を取り外した状態で、配線作業を行うことができ、配線作業性を極めて向上させることができる。これにより、配線用空間２１内に手指や腕等を差し入れて配線する必要性が低減され、配線用空間２１の奥行寸法を効率的に小さくすることができる。
また、本実施形態では、棚板本体１１の後端部側に上段側配線挿通部２３が設けられ、仕切板１４の下端部側に下段側配線挿通部２５が設けられる構成としている。従って、棚板本体１１によって上下に区画された上段側の収納空間及び下段側の収納空間の両方に収納された物品７の配線８を、配線挿通部２３，２５を介して配線用空間２１に配線することができる。
【００３５】
また、本実施形態では、配線挿通部２３，２５を、棚板本体１１の後端部、仕切板１４の両側端部及び仕切板１４の下端部のうちの少なくとも一端部に設けられた切欠状凹部１３，１５によって形成するようにしている。従って、切欠状凹部１３，１５が設けられていない部位の端部を、収納空間を区画する内面（背板２０の前面２０ａ及び底板１７の上面１７ａ）に当接または近接させることができる。
また、仕切板１４を棚板本体１１とともに取り外すことができるので、配線用空間２１に連通する配線挿通部２３，２５を構成する切欠状凹部１３，１５を、効率的に小さくすることができる。つまりは、手指や腕、電源装置等の差し込みが可能なように切欠状凹部を形成する必要性が低減され、配線８の挿通が可能な比較的に小さい切欠状凹部１３，１５とすることができる。
【００３６】
また、本実施形態のように、棚板本体１１の後端部に切欠状凹部１３を設けた態様とすれば、正面側から見た状態では、切欠状凹部１３が目立ち難く、見栄えを損ない難い。また、本実施形態では、棚板本体１１の後端部に、当該棚板本体１１の幅方向に間隔を空けて複数の切欠状凹部１３を設けている。従って、棚板本体１１上に載置された物品７の配線８の引き回し性を向上させることができる。
また、本実施形態のように、仕切板１４の下端部に切欠状凹部１５を設けた態様とすれば、仕切板１４の側端部に切欠状凹部を設けた態様とした場合と比べて、棚板本体１１の下段側に収納された物品等で切欠状凹部１５が目立ち難くなり、見栄えを損ない難い。
【００３７】
また、本実施形態に係る収納装置１及び収納構造は、本実施形態に係る棚板１０を両内側面１８ａ，１８ａ間に配設し、配線用空間２１において露出するように差込接続器２２を設けた構造とされている。従って、配線挿通部２３，２５を介して配線用空間２１に収容された配線８を、差込接続器２２に接続することができる。また、差込接続器２２を、配線用空間２１において露出するように設けているので、棚板１０の仕切板１４によって目立ち難くすることができ、見栄えを向上させることができる。つまりは、棚板本体１１の上下両側の収納空間に収納された物品７の配線８が収納装置１の外部に露出するようなことがなく、見栄えをより向上させることができる。
【００３８】
次に、本実施形態に係る棚板１０を備えた収納装置の一変形例について図５を参照して説明する。
なお、上記した例との相違点について主に説明し、同様の構成については、同一符号を付し、その説明を省略または簡略に説明する。
本変形例に係る収納装置１Ａは、図５に示すように、上記他の棚板２４を設けずに、本実施形態に係る棚板１０，１０を上下に複数（図例では、２つ）設けた構造とされている。つまり、上段側の棚板１０の仕切板１４の下端部が下段側の棚板１０の棚板本体１１の上面に当接または近接される構成とされている。
このような構成とすれば、これら棚板１０，１０によって上下に複数段に区画された収納空間のそれぞれに収納された物品７の配線８を、上記同様、見栄え良く納めながらも配線作業性を向上させることができる。
【００３９】
なお、図例では、下段側の棚板１０の配線用空間２１において露出するように差込接続器２２を設けた例を示しているが、このような態様に代えて、上段側の棚板１０の配線用空間２１において露出するように差込接続器２２を設けた態様としてもよい。または、各棚板１０，１０の配線用空間２１，２１においてそれぞれ露出するように複数の差込接続器を設けた態様としてもよい。
また、本実施形態では、棚板１０の仕切板１４の下端部に切欠状凹部１５を設けた例を示しているが、このような態様に代えて、または加えて、仕切板１４の両側端部の両方若しくは一方に、切欠状凹部を設けた態様としてもよい。
また、本実施形態では、棚板１０の棚板本体１１及び仕切板１４の両方に切欠状凹部１３，１５を設けた例を示しているが、棚板本体１１及び仕切板１４の一方のみに切欠状凹部を設けた態様としてもよい。このような態様によっても、棚板本体１１によって上下に区画された上段側の収納空間及び下段側の収納空間のうちの一方に収納された物品７の配線８を、切欠状凹部によって形成される配線挿通部を介して配線用空間２１に配線することができる。
【００４０】
次に、本発明の他の実施形態に係る棚板、該棚板を備えた収納装置及び該棚板を設けた収納構造の一例について図６を参照して説明する。
なお、第１実施形態との相違点について主に説明し、同様の構成については、同一符号を付し、その説明を省略または簡略に説明する。
【００４１】
図６は、第２実施形態に係る棚板、該棚板を備えた収納装置及び該棚板を設けた収納構造の一例を模式的に示す図である。
本実施形態では、配線挿通部２３Ａ，２５Ａの態様が上記第１実施形態とは主に異なる。
本実施形態では、棚板１０Ａの棚板本体１１Ａの後端部、仕切板１４Ａの両側端部及び仕切板１４Ａの下端部のうちの少なくとも一端部が対向配置される収納空間を区画する内面と該一端部との間に配線挿通部２３Ａ，２５Ａが形成されるように該一端部の板体を構成して配線挿通部２３Ａ，２５Ａが形成される態様としている。
【００４２】
本実施形態では、図６（ｂ）に示すように、棚板本体１１Ａの後端部と収納空間の内面としての背板２０の前面２０ａとの間に隙間状の上段側配線挿通部２３Ａが形成されるように棚板本体１１Ａの奥行寸法を設定している。つまり、棚板本体１１Ａの後端部を背板２０の前面２０ａに当接または近接させずに、上記第１実施形態と比べて、棚板本体１１Ａの奥行寸法を小さい寸法としている。
また、図６（ａ）に示すように、仕切板１４Ａの下端部と当該棚板１０Ａの下段側の収納空間の内面としての底面（底板１７の上面）１７ａとの間に隙間状の下段側配線挿通部２５Ａが形成されるように、仕切板１４Ａの上下寸法を設定している。つまり、仕切板１４Ａの下端部を底板１７の上面１７ａに当接または近接させずに、上記第１実施形態と比べて、仕切板１４Ａの上下寸法を小さい寸法としている。
【００４３】
これら上下の配線挿通部２３Ａ，２５Ａの幅寸法（上段側配線挿通部２３Ａの奥行寸法、下段側配線挿通部２５Ａの上下寸法）は、上記第１実施形態と同様、配線８（図１（ａ）参照）の挿通が可能な寸法とすればよい。例えば、これら上下の配線挿通部２３Ａ，２５Ａの幅寸法を、上記同様、少なくとも配線８の挿通が可能なように、３ｍｍ〜２０ｍｍ程度、好ましくは、３ｍｍ〜１０ｍｍ程度としてもよい。
上記構成とされた本実施形態に係る棚板１０Ａ、これを備えた収納装置１Ｂ及び棚板１０Ａを設けた収納構造においても上記第１実施形態と同様の効果を奏する。
また、本実施形態では、配線挿通部２３Ａ，２５Ａを、板体（棚板本体１１Ａ、仕切板１４Ａ）の一端部が対向配置される収納空間を区画する内面２０ａ，１７ａと一端部との間に配線挿通部２３Ａ，２５Ａが形成されるように一端部の板体を構成して形成するようにしている。従って、簡易な構造で配線挿通部２３Ａ，２５Ａを設けることができる。
【００４４】
また、本実施形態のように、棚板本体１１Ａの後端部と背板２０の前面２０ａとの間に隙間状の配線挿通部２３Ａを設けた態様とすれば、正面側から見た状態では、配線挿通部２３Ａが目立ち難く、見栄えを損ない難い。また、棚板本体１１Ａの全幅に亘ってその後端側に配線挿通部２３Ａが形成されるので、棚板本体１１Ａ上に載置された物品７の配線８の引き回し性を向上させることができる。
また、本実施形態のように、仕切板１４Ａの下端部と棚板本体１１Ａによって上下に区画された下段側の収納空間の底面（底板の上面）１７ａとの間に隙間状の配線挿通部２５Ａを設けた態様とすれば、仕切板１４Ａの側端部側に配線挿通部を設けた態様とした場合と比べて、配線挿通部２５Ａを目立ち難くすることができ、見栄えを損ない難い。また、仕切板１４Ａの全幅に亘ってその下端側に配線挿通部２５Ａが形成されるので、下段側の収納空間の底面（底板の上面）１７ａ上に載置された物品７の配線８の引き回し性を向上させることができる。
【００４５】
なお、本実施形態では、棚板１０Ａの仕切板１４Ａの下端部側に配線挿通部２５Ａが形成される態様とした例を示しているが、このような態様に代えて、または加えて、仕切板１４Ａの両側端部の両方側若しくは一方側に、配線挿通部２５Ａが形成される態様としてもよい。つまりは、仕切板１４Ａの両側端部の両方または一方と収納空間の内面としての側板１８の内側面１８ａとの間に配線挿通部が形成されるように、仕切板１４Ａの幅寸法を設定するようにしてもよい。また、本実施形態では、収納空間の内面と対向配置される棚板本体１１Ａ及び仕切板１４Ａのそれぞれの端部側に配線挿通部が形成される態様とした例を示しているが、これら板体のうちの一方の端部側のみに配線挿通部が形成される態様としてもよい。
【００４６】
また、このように配線挿通部が形成される板体の端部に、収納空間の内面に当接される、圧縮変形や弾性変形し得る各種フォーム系材料や、各種ゴム系材料、エラストマー系材料等からなる隙間遮蔽部材を添設するようにしてもよい。
また、本実施形態に係る棚板１０Ａを、上記第１実施形態に係る変形例と同様、収納装置１Ｂに、上下に複数設けるようにしてもよい。
また、本実施形態に係る収納装置１Ｂを、上記第１実施形態と同様、洗面収納システム９の一部として組み込むようにしてもよい。
また、上記各実施形態では、収納装置１，１Ａ，１Ｂの収納空間を、上下に３段に区画する態様とした例を示しているが、このような態様に限られない。例えば、単一の棚板１０，１０Ａのみを設けて上下に２段に区画する態様としてもよく、または、複数の棚板１０，１０Ａを設けて上下に４段以上に区画する態様としてもよい。
【００４７】
また、上記各実施形態では、配線用空間２１において露出するように差込接続器２２を設けた例を示しているが、このような差込接続器２２を設けないようにしてもよい。この場合は、収納装置１，１Ａ，１Ｂの外部に配線８を引き出すための開口を側板１８や、底板１７、背板２０等に設けるようにしてもよい。
また、収納装置１，１Ａ，１Ｂの前方開口を開閉する開閉扉を設けるようにしてもよい。この場合、透光性または透明の開閉扉を採用するようにしてもよい。
また、上記各実施形態において説明した配線挿通部２３，２３Ａ，２５，２５Ａの形成態様を組み合わせて適用するようにしてもよい。つまり、例えば、棚板本体の後端部側に隙間状の配線挿通部を設け、仕切板の両側端部及び下端部の両方または一方に切欠状凹部を設けたような態様としてもよい。また、配線挿通部２３，２３Ａ，２５，２５Ａの形成態様としては、上記した例に限られない。例えば、棚板本体の後端部、仕切板の両側端部及び仕切板の下端部のうちの少なくとも一端部に、該一端部の板体を厚さ方向に貫通する配線挿通孔を配線挿通部として設けた態様としてもよい。
【００４８】
また、上記各実施形態では、洗面収納システム９に収納装置１，１Ａ，１Ｂを組み込んだ例を示しているが、このような態様に限られない。例えば、収納装置１，１Ａ，１Ｂを、キッチン等に設置される厨房収納システムや、リビング等に設置されるリビング収納システム、玄関等に設置される玄関収納システム等の他の収納システムの一部として組み込むようにしてもよい。または、収納装置１，１Ａ，１Ｂは、このように収納システムの一部として組み込まれる態様に限られず、単体で設置される態様としてもよい。また、本実施形態では、収納装置１，１Ａ，１Ｂを、ウォールキャビネット状に設置した例を示しているが、このような設置態様に限られない。例えば、収納装置１，１Ａ，１Ｂを、床上や、他の収納装置の天板上に設置する態様としてもよい。
【００４９】
また、上記各実施形態では、左右の側板１８，１８を備えた収納装置１，１Ａ，１Ｂの左右の側板１８，１８間に棚板１０，１０Ａを配設した収納構造を例示しているが、このような態様に限られない。例えば、棚板１０，１０Ａの幅方向端部が支持される両方または一方の内側面を、建物の間仕切壁等の壁面等とした収納構造等としてもよい。
また、上記各実施形態では、収納空間を区画する両内側面１８ａ，１８ａ間に棚板１０，１０Ａを配設した収納装置１，１Ａ，１Ｂ及び収納構造を例示しているが、上記各実施形態に係る棚板１０，１０Ａは、既設の収納構造や他の収納装置の収納空間を区画する両内側面間に配設されるものとしてもよい。この場合は、既設の収納構造や他の収納装置の収納空間の寸法等に応じて、棚板本体１１，１１Ａ及び仕切板１４，１４Ａの寸法等を適宜、設定するようにすればよい。
【符号の説明】
【００５０】
１，１Ａ，１Ｂ  収納装置
１０，１０Ａ    棚板
１１，１１Ａ    棚板本体（板体）
１３            切欠状凹部
１４，１４Ａ    仕切板（板体）
１５            切欠状凹部
１７ａ          底板の上面（内面）
１８            側板
１８ａ          内側面
２０ａ          背板の前面（奥側面、内面）
２１            配線用空間
２２            差込接続器
２３，２３Ａ    上段側配線挿通部
２５，２５Ａ    下段側配線挿通部
【図１】
2014064783.tif 000003
【図２】
2014064783.tif 000004
【図３】
2014064783.tif 000005
【図４】
2014064783.tif 000006
【図５】
2014064783.tif 000007
【図６】
2014064783.tif 000008